(57)【要約】【課題】ネットワーク管理システムに提供する管理情報とアクセス手段の変更・追加が必要な場合でもエレメント管理システムの主機能の変更を不要とする。【解決手段】エレメント管理システム１０内のエレメント管理受付部１１は、ネットワーク管理システム２０からの管理要求を受けると、その要求を実行すべきエレメント管理実行部１３の情報を管理情報処理部１２から受け取り、エレメント管理実行部１３に対して管理指示を発行する。これを受けてエレメント管理実行部１３は、上記管理要求に従い、対応する通信装置３０を管理操作して管理操作結果を取得する。管理情報処理部１２は、エレメント管理実行部１３により取得された管理操作結果に対応する、ネットワーク管理システム２０により認識可能な管理情報をエレメント管理受付部１１に返す。エレメント管理受付部１１は、この管理情報をネットワーク管理システム２０に返す。【選択図】    図１
2004310237.tif 000002
【特許請求の範囲】
【請求項１】
通信装置を管理するエレメント管理システムにおいて、
通信網を管理するネットワーク管理システムから送られた通信装置の管理情報の取得を指示する管理要求を受け付けるエレメント管理受付手段と、
前記エレメント管理受付手段による管理要求受け付けに応じて当該エレメント管理受付手段から発行される管理指示に応じて起動され、前記エレメント管理受付手段により受け付けられた管理要求に従い、対応する通信装置を管理操作して当該通信装置から管理操作結果を取得する少なくとも１つのエレメント管理実行手段と、
表現形式の異なる管理情報の処理を行う管理情報処理手段であって、前記エレメント管理受付手段により受け付けられた管理要求に従って管理操作を実行するエレメント管理実行手段を決定すると共に、前記エレメント管理実行手段により取得された管理操作結果に対応する、前記ネットワーク管理システムにより認識可能な管理情報を前記エレメント管理受付手段に返す管理情報処理手段と
を具備し、
前記エレメント管理受付手段は、前記管理情報処理手段により決定されたエレメント管理実行手段を起動するための管理指示を発行し、前記管理情報処理手段から返された管理情報を前記ネットワーク管理システムに返す
ことを特徴とするエレメント管理システム。
【請求項２】
前記エレメント管理実行手段は、通信装置からの管理操作結果通知に応じて、管理操作結果内容を前記管理情報処理手段に登録する管理応答処理手段を含み、
前記管理情報処理手段は、当該管理情報処理手段に登録された管理操作結果内容に対応する、前記ネットワーク管理システムにより認識可能な管理情報を前記エレメント管理受付手段に返す
ことを特徴とする請求項１記載のエレメント管理システム。
【請求項３】
前記エレメント管理実行手段は、通信装置からのイベント通知に応じて、イベント内容を前記管理情報処理手段に登録するイベント受付手段を含み、
前記管理情報処理手段は、当該管理情報処理手段に登録されたイベント内容に対応する、前記ネットワーク管理システムにより認識可能な管理情報を前記エレメント管理受付手段に渡し、
前記エレメント管理受付手段は、前記管理情報処理手段から渡された管理情報を前記ネットワーク管理システムに送出する
ことを特徴とする請求項２記載のエレメント管理システム。
【請求項４】
前記管理情報処理手段は、前記エレメント管理受付手段により受け付けられた管理要求に応じ、当該管理要求に従う管理操作を実行すべきエレメント管理実行手段を識別するエレメント管理実行手段識別情報及び当該管理要求に対応する管理情報を識別する管理情報識別情報を前記エレメント管理受付手段に返し、
前記エレメント管理受付手段は、前記管理情報処理手段から返される前記エレメント管理実行手段識別情報及び前記管理情報識別情報が付加された管理指示であって、当該エレメント管理実行手段識別情報で指定されるエレメント管理実行手段を起動するための管理指示を発行し、
前記エレメント管理実行手段は、前記エレメント管理受付手段から自身を示すエレメント管理実行手段識別情報が付加された管理指示を受けた場合、当該管理指示に付されている管理情報識別情報を前記管理情報処理手段に送ることにより、当該管理情報識別情報の指定する管理情報を取得するための管理操作内容を前記管理情報処理手段から受け取り、当該管理操作内容に従って対応する通信装置を管理操作する
ことを特徴とする請求項１記載のエレメント管理システム。
【請求項５】
前記エレメント管理実行手段は、通信装置からの管理操作結果通知またはイベント通知を受けて、その通知内容を前記管理情報処理手段に登録する手段と、当該管理情報処理手段への通知内容登録に応じて当該管理情報処理手段から返される、当該通知内容に対応する、前記ネットワーク管理システムにより認識可能な管理情報を識別するための管理情報識別情報、及び自身を識別するエレメント管理実行手段識別情報を前記エレメント管理受付手段に渡す管理指示処理手段とを含み、
前記エレメント管理受付手段は、前記管理指示処理手段から前記管理情報識別情報及び前記エレメント管理実行手段識別情報を受けた場合、当該管理情報識別情報及びエレメント管理実行手段識別情報により特定される通知内容を表す、前記ネットワーク管理システムにより認識可能な管理情報を前記管理情報処理手段から取得して当該管理情報を前記ネットワーク管理システムに返し、
前記管理情報処理手段は、前記通知内容登録に応じて、当該通知内容に対応する、前記ネットワーク管理システムにより認識可能な管理情報を識別するための管理情報識別情報を前記エレメント管理実行手段に返し、前記エレメント管理受付手段から前記管理情報識別情報及び前記エレメント管理実行手段識別情報を受けた場合、当該管理情報識別情報及びエレメント管理実行手段識別情報により特定される通知内容を表す、前記ネットワーク管理システムにより認識可能な管理情報を前記エレメント管理受付手段に返す
ことを特徴とする請求項１記載のエレメント管理システム。
【請求項６】
通信装置を管理するためのエレメント管理方法であって、
通信網を管理するネットワーク管理システムから通信装置の管理情報の取得を指示する管理要求が送られた場合、当該管理要求をエレメント管理受付手段が受け付けるステップと、
前記受け付けられた管理要求に応じ、当該管理要求に従って管理操作を実行するエレメント管理実行手段を決定して、その決定結果を前記エレメント管理受付手段に通知するステップと、
前記決定結果の通知を受けて、当該決定結果により示されるエレメント管理実行手段を起動するための管理指示を前記エレメント管理受付手段が発行するステップと、
前記エレメント管理受付手段により受け付けられた管理要求に従い、前記管理指示に応じて起動されたエレメント管理受付手段が対応する通信装置を管理操作して当該通信装置から管理操作結果を取得するステップと、
前記取得された管理操作結果に対応する、前記ネットワーク管理システムにより認識可能な管理情報を前記エレメント管理受付手段に返すステップと、
前記エレメント管理受付手段に返された管理情報を、当該エレメント管理受付手段から前記ネットワーク管理システムに返すステップと
を具備することを特徴とするエレメント管理方法。
【請求項７】
通信装置を管理するためのエレメント管理プログラムであって、
コンピュータに、
通信網を管理するネットワーク管理システムから通信装置の管理情報の取得を指示する管理要求が送られた場合、当該管理要求をエレメント管理受付手段が受け付けるステップと、
前記受け付けられた管理要求に応じ、当該管理要求に従って管理操作を実行するエレメント管理実行手段を決定して、その決定結果を前記エレメント管理受付手段に通知するステップと、
前記決定結果の通知を受けて、当該決定結果により示されるエレメント管理実行手段を起動するための管理指示を前記エレメント管理受付手段が発行するステップと、
前記エレメント管理受付手段により受け付けられた管理要求に従い、前記管理指示に応じて起動されたエレメント管理受付手段が対応する通信装置を管理操作して当該通信装置から管理操作結果を取得するステップと、
前記取得された管理操作結果に対応する、前記ネットワーク管理システムにより認識可能な管理情報を前記エレメント管理受付手段に返すステップと、
前記エレメント管理受付手段に返された管理情報を、当該エレメント管理受付手段から前記ネットワーク管理システムに返すステップと
を実行させるためのエレメント管理プログラム。
【発明の詳細な説明】
【０００１】
【発明の属する技術分野】
本発明は、ネットワーク網を管理するネットワーク管理システムの管理下にあって、通信装置を管理するエレメント管理システムに係り、特に当該ネットワーク管理システムに提供する管理情報とアクセス手段の変更・新規追加に対応するのに好適なエレメント管理システム、エレメント管理方法及びエレメント管理プログラムに関する。
【０００２】
【従来の技術】
ネットワーク管理システムは、一般的にはＥＭＳ（Ｅｌｅｍｅｎｔ  Ｍａｎａｇｅｍｅｎｔ  Ｓｙｓｔｅｍ）と呼ばれ、１つ以上の通信装置を管理するために、サービスプロバイダやネットワークプロバイダで運用される装置ソフトウェア、及びプログラムコードにより実現される。この用語は、ＩＴＵ−Ｔの勧告において規定されると共に、ＴｅｌｅＭａｎａｇｅｍｅｎｔ  Ｆｏｒｕｍ（以下、ＴＭＦと呼ぶ）で使用されている。
【０００３】
最近、この種のネットワーク管理システムを、オブジェクト管理サーバとデータベースとから構成することが提案されている（例えば、特許文献１参照）。ネットワーク管理システムには、ネットワークの管理情報（第１の管理情報）を表現する管理オブジェクト（第１の管理オブジェクト）ＮＭＯが保持される。具体的には、ＮＭＯは、オブジェクト管理サーバに接続されたデータベースのインスタンスとして保持される。ＮＭＯは、当該ＮＭＯの属性（ネットワーク管理情報モデルで定義される属性）と、エレメント管理システム（通信網要素管理システム）が保持する、ネットワークの管理情報（第２の管理情報）を表現する管理オブジェクト（第２の管理オブジェクト）ＥＭＯの属性との対応関係を保持している。エレメント管理システムは、ネットワーク管理システムの管理下にあって、通信装置（ネットワーク装置）の管理、更に詳細に述べるならば通信装置の管理対象である管理リソース（通信網要素）の管理を司る。
【０００４】
オブジェクト管理サーバは、ユーザインタフェースからＮＭＯの属性値の取得要求が送られた場合、データベースに対してＮＭＯ名を指定して、ＮＭＯの属性とＥＭＯの属性との対応関係の取得要求を発行する。データベースは、指定されたＮＭＯを検索して、その検索されたＮＭＯの属性とＥＭＯの属性との対応関係をオブジェクト管理サーバに返す。
【０００５】
オブジェクト管理サーバは、データベースから返されたＮＭＯの属性とＥＭＯの属性との対応関係から、エレメント管理システムに対してＥＭＯ名と属性とを指定して属性値取得要求を発行する。エレメント管理システムは、オブジェクト管理サーバからの属性値取得要求に従って、指定されたＥＭＯの属性値を返す。オブジェクト管理サーバは、エレメント管理システムから取得した属性値をＮＭＯの属性値としてユーザインタフェースに返す。このように、ユーザインタフェースからはＥＭＯは直接認識できなくても、ＮＭＯだけを認識できるならば、ネットワークを管理することができる。
【０００６】
【特許文献１】
特開２００１−２４３１３７号公報（段落００１０、段落００１１、図１、図５）
【０００７】
【発明が解決しようとする課題】
上記したように、特許文献１に記載されたネットワーク管理システムによれば、当該システムと接続されるユーザインタフェースからは、ネットワーク管理システムの管理下にあるエレメント管理システムは直接認識できなくても、ネットワーク管理システムだけを認識できるならば、ネットワークを管理することができる。
【０００８】
そこで、この特許文献１に記載された技術をエレメント管理システムに適用して当該エレメント管理システムをオブジェクト管理サーバとデータベースとで構成し、ネットワーク管理システムとエレメント管理システムとの間で交換される管理情報を表現する管理オブジェクト（第１の管理オブジェクト）と、エレメント管理システムが通信装置から取得する管理情報を表現する管理オブジェクト（第２の管理オブジェクト）との間の情報変換を行うことが考えられる。この情報変換は、例えばネットワーク管理システムからエレメント管理システムに管理要求（管理情報要求）を発行することにより、当該エレメント管理システムを介して通信装置の管理対象（管理リソース）を制御する場合、或いは通信装置の管理情報（管理オブジェクト）を当該通信装置からエレメント管理システムを介して取得する場合に必要となる。また、通信装置に障害、或いは状態変化の事象（イベント）が発生したために、当該通信装置からエレメント管理システムに対して送られる、管理情報（管理オブジェクト）を含む管理イベントメッセージ（管理イベント通知）をエレメント管理システムが受信した場合にも必要となる。
【０００９】
そのためには、ネットワーク管理システムからの管理要求メッセージに含まれる管理情報（第１の管理オブジェクト）と、通信装置に管理指示を行うために必要な管理情報（第２の管理オブジェクト）とのマッピング情報をデータベースに保持し、そのマッピング規則に従って、管理要求メッセージの変換を行えばよい。ここでは、通信装置の管理対象（管理リソース）を制御するための管理要求メッセージを例にとると、当該メッセージの指定する管理要求を解釈して、通信装置に対して実行する操作（オペレーション）の処理をする必要がある。同様に、上記管理要求に対する通信装置からの通信装置操作応答メッセージに含まれる管理情報（管理オブジェクト）と、ネットワーク管理システム１０４への管理応答メッセージに含める管理情報（管理オブジェクト）とのマッピング情報もデータベースに保持し、そのマッピング規則に従って、通信装置操作応答メッセージの変換を行えばよい。同様に、通信装置からの通信装置イベントメッセージに含まれる管理情報（第２の管理オブジェクト）と、当該通信装置イベントメッセージに応じてネットワーク管理システムへ送出される管理イベントメッセージに含める管理情報（第１の管理オブジェクト）とのマッピング情報もデータベースに保持し、そのマッピング規則に従って、通信装置イベントメッセージの変換を行えばよい。
【００１０】
しかしながら、特許文献１に記載された技術をエレメント管理システムに適用した場合、ネットワーク管理システムとの間で管理要求或いは管理イベント通知を処理するためには、オブジェクト管理サーバ及びデータベースにおいて当該管理要求或いは管理イベント通知に係わる処理を行わなければならない。このため、ネットワーク管理システムへ提供する管理情報（第１の管理オブジェクト）とそれに対するアクセス手段（オブジェクトメソッド）を変更、もしくは新たにそれらを導入することが要求された場合、オブジェクト管理サーバとデータベース各々に必要な対応を施さなければならないという問題が生ずる。具体的には、オブジェクト管理サーバの機能とデータベースの機能とを実現するプログラムコードを含んだソフトウェアを変更するか、エレメント管理システム全体に係わるプログラムコードを含んだソフトウェアを変更し、且つ当該ソフトウェアが動作する装置の主記憶装置またはディスク装置（例えば磁気ディスク装置）上に変更済みのソフトウェアを入れ替える必要が生ずる。
【００１１】
更に、特許文献１に記載された技術をエレメント管理システムに適用した場合、通信装置の機能が追加される毎に、その追加された機能に対応可能なように、オブジェクト管理サーバを置き換えなければならない。具体的には、オブジェクト管理サーバに該当するプログラムコードを含んだソフトウェアを変更するか、エレメント管理システム全体に係わるプログラムコードを含んだソフトウェアを変更し、且つ当該ソフトウェアが動作する装置の主記憶装置上に変更済みのソフトウェアを入れ替える必要が生ずる。
【００１２】
このように従来技術を用いてエレメント管理システムを構築した場合、ネットワーク管理システムへ提供する管理情報とアクセス手段の変更・新規追加を行うためには、エレメント管理システムの主構成要素であるオブジェクト管理サーバとデータベース各々に対して機能変更を施さなければならない。また、通信装置の機能が追加される毎にオブジェクト管理サーバの機能追加を行わなければならない。特に、オブジェクト管理サーバはエレメント管理システムを動作させるための根幹となる機能であるため、上記機能変更・追加が施された新たなソフトウェアは、エレメント管理システムが動作する装置に導入し、当該装置の主記憶装置上へ展開を行った後、上記新たなソフトウェアの起動を改めて行う必要を生ずる。これは、昨今の通信網の高度化・複雑化により、一時停止を許されない運用管理を行う必要のある環境下では問題となる。
【００１３】
本発明は上記事情を考慮してなされたものでその目的は、ネットワーク管理システムに提供する管理情報とアクセス手段の変更・新規追加が必要な場合、或いはエレメント管理システムにより管理される通信装置の機能が追加された場合でも、当該エレメント管理システムの主機能の変更を不要とすることができるようにすることにある。
【００１４】
【課題を解決するための手段】
本発明の１つの観点によれば、通信装置を管理するエレメント管理システムが提供される。このエレメント管理システムは、通信網を管理するネットワーク管理システムから送られた通信装置の管理情報の取得を指示する管理要求を受け付けるエレメント管理受付手段と、このエレメント管理受付手段による管理要求受け付けに応じて当該エレメント管理受付手段から発行される管理指示に応じて起動され、上記エレメント管理受付手段により受け付けられた管理要求に従い、対応する通信装置を管理操作して当該通信装置から管理操作結果を取得する少なくとも１つのエレメント管理実行手段と、表現形式の異なる管理情報の処理を行う管理情報処理手段であって、上記エレメント管理受付手段により受け付けられた管理要求に従って管理操作を実行するエレメント管理実行手段を決定すると共に、上記エレメント管理実行手段により取得された管理操作結果に対応する、上記ネットワーク管理システムにより認識可能な管理情報を上記エレメント管理受付手段に返す管理情報処理手段とを備える。
【００１５】
このような構成のエレメント管理システムにおいて、エレメント管理受付手段がネットワーク管理システムからの管理要求を受け付けると、当該管理要求に従って管理操作を実行するエレメント管理実行手段が管理情報処理手段により決定される。すると、管理情報処理手段により決定されたエレメント管理実行手段が、エレメント管理受付手段から発行される管理指示に応じて起動され、対応する通信装置を管理操作して当該通信装置から管理操作結果を取得する。ここで、エレメント管理実行手段を、例えば管理要求種別、或いは複数の管理要求種別が属する管理要求グループ毎に用意し、ネットワーク管理システムからの管理要求に従ってエレメント管理実行手段により取得された管理操作結果に対応する、前記ネットワーク管理システムにより認識可能な管理情報を前記エレメント管理受付手段に返すように管理操作を実行可能なエレメント管理実行手段が起動される構成とするとよい。
【００１６】
エレメント管理実行手段により通信装置の管理操作結果が取得されると、その管理操作結果に対応する、ネットワーク管理システムにより認識可能な管理情報が管理情報処理手段からエレメント管理受付手段に返されて、その管理情報（を含む管理応答メッセージ）がネットワーク管理システムに返される。
【００１７】
このように、上記構成のエレメント管理システムにおいては、ネットワーク管理システムとの間で情報を交換するエレメント管理受付手段（つまりエレメント管理システムの主機能）は、ネットワーク管理システムからの管理要求の内容を何ら解釈することなく、単にネットワーク管理システム、管理情報処理手段、及びエレメント管理実行手段との間で情報を授受するだけでよい。したがって、ネットワーク管理システムへ提供する管理情報とアクセス手段の変更・新規追加が行われても、或いは通信装置の機能が追加されても、エレメント管理受付手段を変更しなくて済む。
【００１８】
上記したエレメント管理システムに係る本発明は、当該システムにおいて実行される処理の手順を有する方法（エレメント管理方法）に係る発明としても成立し、コンピュータに当該発明に相当する手順を実行させるための（或いはコンピュータを当該発明に相当する手段として機能させるための、或いはコンピュータに当該発明に相当する機能を実現させるための）プログラム（エレメント管理プログラム）に係る発明としても成立する。
【００１９】
また、エレメント管理システムを構成するエレメント管理受付手段、管理情報処理手段及びエレメント管理実行手段は、分散配置されていてもよい。この場合、本発明は、エレメント管理受付手段、管理情報処理手段及びエレメント管理実行手段各々の手段にそれぞれ対応する独立のプログラムであって、コンピュータに当該手段で実行される手順を実行させるためのプログラムに係る発明としても成立する。
【００２０】
【発明の実施の形態】
以下、本発明の実施の形態につき図面を参照して説明する。
【００２１】
図１は本発明の一実施形態に係るエレメント管理システムを備えたネットワークシステムの構成を示すブロック図である。同図に示すように、エレメント管理システム１０は、エレメント管理受付部１１と、管理情報処理部１２と、エレメント管理実行部１３とを備えている。図１では、エレメント管理実行部１３が１つだけ示されているが、複数のエレメント管理実行部１３が設けられる構成であっても構わない。このエレメント管理実行部１３は、ネットワーク管理システム２０が扱う管理要求種別毎に或いは複数の管理要求種別が属する管理要求グループ毎に用意されることから、複数設けられる場合が多い。
【００２２】
エレメント管理システム１０は、当該エレメント管理システム１０の上位に位置し、通信網を管理するネットワーク管理システム２０と、エレメント管理受付部１１を介して接続されている。エレメント管理システム１０はまた、当該エレメント管理システム１０の下位に位置する少なくとも１つの通信装置３０と、エレメント管理実行部１３を介して接続されている。通信装置３０は例えばネットワーク装置であり、エレメント管理システム１０の管理対象となるネットワークリソース（通信網要素）を含む。ネットワークリソースは、例えば通信装置３０のボード、インタフェース、電源、ソフトウェア及びＣＰＵ使用率等である。
【００２３】
エレメント管理システム、つまりＥｌｅｍｅｎｔ  Ｍａｎａｇｅｍｅｎｔ  Ｓｙｓｔｅｍ（ＥＭＳ）と呼ばれる用語は、例えばＩＴＵ−Ｔの勧告において規定されるとともに、ＴｅｌｅＭａｎａｇｅｍｅｎｔ  Ｆｏｒｕｍ（以下、ＴＭＦと呼ぶ）で使用されている。ＩＴＵ−Ｔ  Ｍ．３０１０では、４つの管理レイヤが規定されており、上位レイヤから順に、ビジネス管理レイヤ、サービス管理レイヤ、ネットワーク管理レイヤ及びエレメント管理レイヤで構成される。下位レイヤは上位レイヤに対して管理サービスを提供することによって、上位レイヤの管理をサポートする。即ち、上位レイヤは、下位レイヤに位置する管理システムに対して管理制御または管理情報取得に代表される管理指示をすることにより、当該上位レイヤ自身に位置する管理機能を実現する。
【００２４】
エレメント管理システム１０は、自身の管理対象である、通信装置３０が有するネットワークリソースに関する抽象化された管理情報を、上位に位置するネットワーク管理システム（Ｎｅｔｗｏｒｋ  Ｍａｎａｇｅｍｅｎｔ  Ｓｙｓｔｅｍ：ＥＭＳ）２０へ提供することにより、当該ネットワーク管理システム２０からの指示を受けてオペレーションを実現する。ここで管理情報（を表現する管理オブジェクト）は、エレメント管理システム１０の実装方法、更には当該エレメント管理システム１０とネットワーク管理システム２０との間の通信プロトコルに依存しない形で抽象化及びモデル化が行われ、少なくとも１つの表現方式により定義される。例えば、前述のＴＭＦ標準化団体では、「ＮＭＬ−ＥＭＬインタフェース」という管理アーキテクチャにより、エレメント管理システムがネットワーク管理システムへ提供する管理情報（管理オブジェクト）と、それに対するアクセス手段（オブジェクトメソッド）を定義するために、ＵＭＬ（Ｕｎｉｆｉｅｄ  Ｍｏｄｅｌｉｎｇ  Ｌａｎｇｕａｇｅ）を使用してモデル化が行われる。ＴＭＦで定義される仕様の一例として、Ｍｕｌｔｉ  Ｔｅｃｈｎｏｌｏｇｙ  Ｎｅｔｗｏｒｋ  Ｍａｎａｇｅｍｅｎｔ  Ｂｕｓｉｎｅｓｓ  Ａｇｒｅｅｍｅｎｔ  −  ＴＭＦ５１３、或いは、Ｍｕｌｔｉ  Ｔｅｃｈｎｏｌｏｇｙ  Ｎｅｔｗｏｒｋ  Ｍａｎａｇｅｍｅｎｔ  Ｉｎｆｏｒｍａｔｉｏｎ  Ａｇｒｅｅｍｅｎｔ  −  ＴＭＦ６０８が挙げられる。
【００２５】
上記仕様に基づいて、図１中のネットワーク管理システム２０とエレメント管理システム１０との間で交換される管理情報（第１の管理オブジェクト）と、エレメント管理システム１０が通信装置３０から取得する管理情報（第２の管理オブジェクト）とは、必ずしも同一の情報モデルであるとは限らない。このため、多かれ少なかれ両者間の管理情報（管理オブジェクト）を変換する必要が生じてくる。管理情報（管理オブジェクト）変換の実現方法については、上記仕様において定義される範疇ではなく、エレメント管理システム１０のソフトウェア実装方法に依存する。この点は、通信装置に対するオペレーション（操作）についても同様である。
【００２６】
図１中のエレメント管理システム１０の特徴は、ネットワーク管理システム２０に提供する管理情報と、それに対するアクセス手段の変更・新規追加が必要な場合、或いは通信装置３０の機能が追加された場合でも容易に対応して上述の変換を実現している点にある。そのためエレメント管理システム１０は、以下に述べる機能を有する、エレメント管理受付部１１と、管理情報処理部１２と、エレメント管理実行部１３とを備えている。本実施形態において、エレメント管理システム１０を構成するエレメント管理受付部１１、管理情報処理部１２及びエレメント管理実行部１３は、コンピュータ（プログラムを読み取って実行することが可能な情報処理装置）に以下に述べる機能を実現するためのプログラムモジュールを当該コンピュータ上で実行させることにより実現される機能ブロックである。つまりエレメント管理システム１０は、エレメント管理受付部１１、管理情報処理部１２及びエレメント管理実行部１３にそれぞれ対応するプログラムモジュールを含むプログラムをコンピュータ上で実行させることにより実現される。このプログラムを、コンピュータ読み取り可能な、磁気ディスク（フレキシブルディスク、ハードディスク等）、光ディスク（ＣＤ−ＲＯＭ，ＤＶＤ等）、或いは半導体メモリなどの記録媒体に記憶して、コンピュータにより読み取り実行させることができる。また、このプログラムを、通信媒体を介してコンピュータにダウンロードして当該コンピュータにより読み取り実行させることもできる。
【００２７】
図２は、図１中のエレメント管理システム１０の主としてエレメント管理実行部１３の詳細な構成を示すブロック図である。同図に示すように、エレメント管理受付部１１は、管理指示部１１１と、管理応答部１１２と、管理イベント通知部１１３とを有する。管理指示部１１１は、ネットワーク管理システム２０からの管理要求を受けて対応する管理指示をエレメント管理実行部１３に送出する。管理応答部１１２は、エレメント管理実行部１３への管理指示に対する当該エレメント管理実行部１３からの管理応答をネットワーク管理システム２０に返す。管理イベント通知部１１３は、通信装置３０からの管理イベントに従ってエレメント管理実行部１３から管理指示結果が返された場合に、当該管理指示結果に応じてネットワーク管理システム２０へ管理イベント通知を行う。
【００２８】
エレメント管理実行部１３は、管理指示処理部１３１と、管理情報取得・応答判定部１３２とを有する。エレメント管理実行部１３はまた、管理応答処理部１３３、イベント受付部１３４及び統計情報取得実行部１３５のうちの１つと、通信装置アクセス部１３６と、管理情報アクセス部１３７とを有する。
【００２９】
管理指示処理部１３１は、エレメント管理受付部１１内の管理指示部１１１からの管理指示を受けて、エレメント管理実行部１３を一意に識別するための情報（以下、エレメント管理実行部ＩＤと称する）と、管理情報（管理オブジェクト）を一意に識別するための情報（以下、管理情報ＩＤと称する）とを取得する機能を有する。管理情報取得・応答判定部１３２は、管理指示処理部１３１により取得された管理情報ＩＤを管理情報アクセス部１３７を介して管理情報処理部１２に送ることにより管理操作内容（例えば通信装置操作メッセージ）を受け取る機能と、当該管理操作内容に対応する管理操作結果を表す管理情報（第２の管理オブジェクト）を通信装置３０から取得するか否かを判定する機能とを有する。管理情報取得・応答判定部１３２はまた、通信装置３０からの管理操作応答メッセージ中のＰＤＵ（管理操作応答メッセージ）を管理情報アクセス部１３７を介して管理情報処理部１２に送ることにより管理情報ＩＤを取得する機能と、当該管理情報ＩＤに対応する管理応答が必要か否かを判定する機能とを有する。
【００３０】
管理応答処理部１３３は、通信装置アクセス部１３６により受信された通信装置３０での管理操作結果を受けて、その管理操作結果の内容（を表す管理オブジェクトの属性と値、つまりインスタンス情報セット）を管理情報処理部１２に登録する機能を有する。管理応答処理部１３３はまた、管理情報処理部１２への管理操作結果内容登録に応じて、エレメント管理受付部１１からの管理指示に対す管理指示結果の応答を管理指示処理部１３１を介してエレメント管理受付部１１に返す機能を有する。
【００３１】
イベント受付部１３４は、通信装置３０からの管理イベントの通知を通信装置アクセス部１３６を介して受け付ける機能を有する。イベント受付部１３４はまた、通信装置３０からの管理イベントを受け付けた場合に、その管理イベントの内容（を表す管理オブジェクトの属性と値、つまりインスタンス情報セット）を管理情報処理部１２に登録する機能を有する。イベント受付部１３４は更に、管理情報処理部１２への管理イベント内容登録に応じて、通信装置３０からの管理イベント通知に対する管理イベント結果の応答を管理指示処理部１３１を介してエレメント管理受付部１１に返す機能を有する。
【００３２】
統計情報取得実行部１３５は、通信装置３０から統計情報を例えば定期的に且つ自律的に収集する機能を有する。通信装置アクセス部１３６は通信装置３０から管理情報（管理操作結果）を取得するため当該通信装置３０をアクセス（管理操作）する機能を有する。エレメント管理実行部１３内の構成要素のうち、管理応答処理部１３３、イベント受付部１３４または統計情報取得実行部１３５は、エレメント管理システム１０の管理対象となる通信装置３０に対応して追加・変更される。
【００３３】
図３は図１中の管理情報処理部１２により管理されるテーブル構造例を示す。同図に示すように、管理情報処理部１２は、クラス情報テーブル１２１と、少なくとも１つのインスタンス情報テーブル１２２と、少なくとも１つの物理情報テーブル、例えば物理情報テーブル１２３−１及び１２３−２を含む複数の物理情報テーブルと、マップテーブル１２４とを有している。
【００３４】
クラス情報テーブル１２１の各エントリは、クラス名、プロパティ名、エレメント管理実行ＩＤ及びインスタンスＩＤの各項目を有する。上記各エントリのクラス名の項目（クラス名フィールド）には、ネットワーク管理システム２０にて認識可能なネットワークリソースに関する抽象化された管理情報（第１の管理オブジェクト）のうち、共通の特性を持つ管理情報の集合を表すクラスの名称（クラス名）が登録される。上記各エントリのプロパティ名の項目（プロパティ名フィールド）には、当該エントリ中のクラス名の項目により示されるクラスの属性を表す名称（プロパティ名）が登録される。上記各エントリのエレメント管理実行部ＩＤの項目（エレメント管理実行部ＩＤフィールド）には、当該エントリ中のクラス名及びプロパティ名の項目により示されるクラス及び属性の管理情報（管理オブジェクト）を処理するエレメント管理実行部１３のＩＤが登録される。上記各エントリのインスタンスＩＤの項目（インスタンスＩＤフィールド）には、当該エントリ中のクラス名及びプロパティ名の項目により示されるクラス及び属性の管理情報（管理オブジェクト）の値（インスタンス値）を指し示すＩＤ（インスタンスＩＤ）が登録される。このインスタンスＩＤ以外は、予め定められている。図２の例では、クラス＃１は１つのプロパティｐｒｏｐｅｒｔｙ＃１で定義されている。
【００３５】
インスタンス情報テーブル１２２は、クラス情報テーブル１２１に登録されているプロパティ名の示すプロパティ毎に設けられる。図では、プロパティｐｒｏｐｅｒｔｙ＃１に対するインスタンス情報テーブル１２２のみが示されている。インスタンス情報テーブル１２２の各エントリは、当該エントリを特定するためのインデックスの項目（インデックスフィールド）及び対応するプロパティを持つインスタンス（管理オブジェクト）の値（インスタンス値）の項目（インスタンス値フィールド）を有する。インスタンス情報テーブル１２２は、エレメント管理実行部１３が起動される際に、動的に作成される。
【００３６】
物理情報テーブル１２３−１（＃１）及び１２３−２（＃２）の各エントリは、エレメント管理システム１０と通信装置３０との間で適用される仕様の管理オブジェクト（第２の管理オブジェクト）の属性値を登録するのに用いられる。物理情報テーブル１２３−１（＃１）及び１２３−２（＃２）はメンバ名の項目（メンバ名フィールド）を含む。第２の管理オブジェクトの属性は、物理情報テーブル１２３−１（＃１）及び１２３−２（＃２）のテーブル名とメンバ名とにより表現される。この第２の管理オブジェクトの属性を物理情報と呼ぶこともある。メンバ名で指定されるメンバは、１つの情報カテゴリ（例えば、「通信パス」、「通信ノード」、「通信インタフェース」など）に含まれる情報の項目を指す。「通信パス」を例にとるならば、メンバは通信パス名、通信品質パラメータ、通信パス状態などである。図３の例では、メンバ名は、メンバ＃１からメンバ４の４種類定義されている。
【００３７】
マップテーブル１２４は、プロパティ名と物理情報テーブル１２３−ｉ（図３ではｉ＝１，２）のテーブル名及びメンバ名との対応関係を表す。図３の例では、プロパティ名ｐｒｏｐｅｒｔｙ＃１とテーブル＃１（物理情報テーブル１２３−１）内のメンバ＃２とが対応し、プロパティ名ｐｒｏｐｅｒｔｙ＃１とテーブル＃２（物理情報テーブル１２３−２）内のメンバ＃３とが対応している。これにより、プロパティ名がｐｒｏｐｅｒｔｙ＃１のプロパティは、テーブル名がテーブル＃１（物理情報テーブル１２３−１）のテーブル及びメンバ名がメンバ＃２のメンバに属すると共に、テーブル名がテーブル＃２（物理情報テーブル１２３−２）のテーブル及びメンバ名がメンバ＃３のメンバに属することが示される。
【００３８】
次に、本発明の第１の実施形態におけるエレメント管理システム１０の動作について、（１）管理要求メッセージ受信時の処理、（２）通信装置イベントメッセージ受信時の処理、（３）管理情報処理部１２の処理の詳細、（４）統計情報収集処理を例に順に説明する。
【００３９】
（１）管理要求メッセージ受信時の処理
まず、ネットワーク管理システム２０からの管理要求メッセージをエレメント管理システム１０にて受信した際の当該エレメント管理システム１０の動作を、図４のシーケンスチャート、図５のフローチャート並びに図６及び図７のデータ流れ図を参照して説明する。なお、エレメント管理システム１０内のエレメント管理実行部１３には、管理応答処理部１３３、イベント受付部１３４及び統計情報取得実行部１３５のうちの管理応答処理部１３３が含まれているものとする。
【００４０】
今、ネットワーク管理システム２０からエレメント管理システム１０に対して管理要求メッセージ６０１が送信されたものとする（図４ステップＳ１）。この管理要求メッセージ６０１は、ヘッダ６０１ａとＰＤＵ（Ｐｒｏｔｏｃｏｌ  Ｄａｔａ  Ｕｎｉｔ）６０１ｂとから構成される。エレメント管理システム１０内のエレメント管理受付部１１（に設けられた管理指示部１１１）は、このネットワーク管理システム２０からの管理要求メッセージ６０１を受信する（図５ステップＳ２１）。管理要求メッセージは、一般に１つのネットワーク管理システム２０と図１中のエレメント管理システム１０に代表される複数のエレメント管理システムとの間で利用される。そこで管理要求メッセージ６０１には、標準化機関または標準化団体などにより策定される標準とされる管理プロトコル、例えばＩＴＵ−Ｔが標準化したＣＭＩＰ（Ｃｏｍｍｏｎ  Ｍａｎａｇｅｍｅｎｔ  Ｉｎｆｏｒｍａｔｉｏｎ  Ｐｒｏｔｏｃｏｌ）、ＩＥＴＦ（Ｔｈｅ  Ｉｎｔｅｒｎｅｔ  Ｅｎｇｉｎｅｅｒｉｎｇ  Ｔａｓｋ  Ｆｏｒｃｅ）が標準化したＳＮＭＰ（Ｓｉｍｐｌｅ  Ｎｅｔｗｏｒｋ  Ｍａｎａｇｅｍｅｎｔ  Ｐｒｏｔｏｃｏｌ）、或いは汎用的な通信プロトコル、例えばＯＭＧ（Ｏｂｊｅｃｔ  Ｍａｎａｇｅｍｅｎｔ  Ｇｒｏｕｐ）が仕様を策定したＣＯＲＢＡ（Ｃｏｍｍｏｎ  Ｏｂｊｅｃｔ  Ｒｅｑｕｅｓｔ  Ｂｒｏｋｅｒ  Ａｒｃｈｉｔｅｃｔｕｒｅ）、Ｗ３Ｃコンソーシアムが仕様を策定したＨＴＴＰ（Ｈｙｐｅｒ  Ｔｅｘｔ  Ｔｒａｎｓｆｅｒ  Ｐｒｏｔｏｃｏｌ）、ＳＯＡＰ（Ｓｉｍｐｌｅ  Ｏｂｊｅｃｔ  Ａｃｃｅｓｓ  Ｐｒｏｔｏｃｏｌ）、もしくはＸＭＬ（ｅＸｔｅｎｓｉｂｌｅ  Ｍａｒｋｕｐ  Ｌａｎｇｕａｇｅ）を使用するのが一般的である。
【００４１】
エレメント管理受付部１１内の管理指示部１１１は、ネットワーク管理システム２０からの管理要求メッセージ６０１を受信して、当該ネットワーク管理システム２０との間で使用する通信プロトコルを処理することにより、当該管理要求メッセージ６０１からヘッダ６０１ａが外された管理要求メッセージＰＤＵ（Ｐｒｏｔｏｃｏｌ  Ｄａｔａ  Ｕｎｉｔ）６０１ｂを管理情報処理部１２に送出する（図４ステップＳ２）。管理情報処理部１２は、管理要求メッセージＰＤＵ６０１ｂに従って後述する管理情報処理を実行することにより、当該ＰＤＵ６０１ｂを処理すべきエレメント管理実行部１３を一意に識別するための情報（即ちエレメント管理実行部ＩＤ）６０２ａと、管理情報（管理オブジェクト）を一意に識別するための情報（即ち管理情報ＩＤ）６０２ｂとをエレメント管理受付部１１に返す（図４ステップＳ３）。これによりエレメント管理受付部１１内の管理指示部１１１は、管理要求メッセージＰＤＵに対応した識別情報、即ちエレメント管理実行部ＩＤ６０２ａ及び管理情報ＩＤ６０２ｂを取得する（図５ステップＳ２２）。管理情報ＩＤの一例としては、ＵＲＩ（Ｕｎｉｆｏｒｍ  Ｒｅｓｏｕｒｃｅ  Ｉｄｅｎｔｉｆｉｅｒｓ）またはＵＲＮ（Ｕｎｉｆｏｒｍ  Ｒｅｓｏｕｒｃｅ  Ｎａｍｅ）などの統一的且つ標準的に表現する方法が挙げられる。
【００４２】
エレメント管理受付部１１内の管理指示部１１１は、エレメント管理実行部ＩＤ６０２ａ及び管理情報ＩＤ６０２ｂを取得すると当該両ＩＤ（識別情報）が存在するか否かを当該両ＩＤ（識別情報）の値に基づいて判定する（図５ステップＳ２３）。もし、エレメント管理実行部ＩＤ６０２ａ及び管理情報ＩＤ６０２ｂが存在する場合には、エレメント管理受付部１１内の管理指示部１１１は、ネットワーク管理システム２０から受信した管理要求メッセージに固有の（管理要求メッセージで要求される処理を識別するための）、管理指示を一意に識別するための情報（即ち管理指示ＩＤ）６０３を作成し、当該管理指示ＩＤ６０３、並びに上記エレメント管理実行部ＩＤ６０２ａ及び上記管理情報ＩＤ６０２ｂを全てのエレメント管理実行部１３に送出する（図４ステップＳ４、図５ステップＳ２４）。この情報は、当該情報中のエレメント管理実行部ＩＤ６０２ａによって特定されるエレメント管理実行部１３によってのみ受け取られる。
【００４３】
エレメント管理実行部１３内の管理指示処理部１３１は、エレメント管理受付部１１内の管理指示部１１１から送出された管理指示ＩＤ６０３、エレメント管理実行部ＩＤ６０２ａ及び管理情報ＩＤ６０２ｂを取得する。するとエレメント管理実行部１３内の管理情報取得・応答判定部１３２は、管理指示処理部１３１が取得した管理情報ＩＤ６０２ｂを管理情報処理部１２に送出する（図４ステップＳ５）。管理情報処理部１２は、エレメント管理受付部１１内の管理情報取得・応答判定部１３２から管理情報ＩＤ６０２ｂを受け取ると、当該管理情報ＩＤ６０２ｂに従って後述する管理情報処理を実行する。これにより管理情報処理部１２は、エレメント管理システム１０と通信装置３０との間で適用される管理要求種別及び属性を含む通信装置操作メッセージＰＤＵ６０４を作成し、当該メッセージＰＤＵ６０４を管理情報取得・応答判定部１３２に返す（図４ステップＳ６）。
【００４４】
管理情報取得・応答判定部１３２は、管理情報処理部１２から通信装置操作メッセージＰＤＵ６０４を受け取ると（図５ステップＳ２５）、管理情報（第２の管理オブジェクト）を通信装置３０から取得するか否かを、エレメント管理実行部１３に管理応答処理部１３３が含まれているか否かに応じて判定する（図５ステップＳ２６）。ここでは、エレメント管理実行部１３に管理応答処理部１３３が含まれていることから、管理情報を通信装置３０から取得することが判定される。この場合、エレメント管理実行部１３内の通信装置アクセス部１３６は、管理指示処理部１３１が取得した通信装置操作メッセージＰＤＵ６０４にメッセージヘッダ６０５を加えて通信装置操作メッセージ６０７を組み立て、当該通信装置操作メッセージ６０７を通信装置３０に送信する（図４ステップＳ７、図５ステップＳ２７）。
【００４５】
通信装置３０は、エレメント管理システム１０のエレメント管理実行部１３に設けられた通信装置アクセス部１３６から通信装置操作メッセージ６０７を受け取ると、当該メッセージ６０７中の通信装置操作メッセージＰＤＵ６０４の内容（当該ＰＤＵ６０４に含まれている管理要求種別）をデコード（解釈）し、当該ＰＤＵ６０４により要求された操作（処理）を行う。要求された操作とは、管理情報の獲得、設定、或いは変更等の処理であり、例えば通信系では、通信パスの設定、削除、変更などである。通信装置３０は、要求された操作（処理）を行うと、その結果を通信装置操作応答メッセージ６０８の内容にエンコード（符号化）し、当該通信装置操作応答メッセージ６０８をエレメント管理実行部１３内の通信装置アクセス部１３６に返す（図４ステップＳ８）。この応答メッセージ６０８はヘッダ６０８ａとＰＤＵ６０８ｂとから構成される。ＰＤＵ６０８ｂは管理要求に対する管理応答の種別を表す情報と、管理情報の属性（少なくとも１つのテーブル名及びメンバ名の組）とを含む。またＰＤＵ６０８ｂが属性値を含むこともある。
【００４６】
エレメント管理実行部１３内の通信装置アクセス部１３６は、通信装置３０からの通信装置操作応答メッセージ６０８を受信する（図５ステップＳ２８）。するとエレメント管理実行部１３内の管理応答処理部１３３は、通信装置アクセス部１３６により受信された通信装置操作応答メッセージ６０８からヘッダ６０８ａが外された通信装置操作応答メッセージＰＤＵ６０８ｂを、管理情報取得・応答判定部１３２及び管理情報アクセス部１３７を介して管理情報処理部１２に送出する（図４ステップＳ９）。管理情報処理部１２は、通信装置操作応答メッセージＰＤＵ６０８ｂに従う管理情報処理により、管理情報（管理オブジェクト）を一意に識別するための情報（即ち管理情報ＩＤ）６０９をエレメント管理実行部１３に返す（図４ステップＳ１０）。これによりエレメント管理実行部１３内の管理応答処理部１３３は、管理情報処理部１２からの管理情報ＩＤ６０９を取得する（図５ステップＳ２９）。
【００４７】
管理情報取得・応答判定部１３２は、管理情報ＩＤ６０９により識別される管理情報をネットワーク管理システム２０への応答として返す必要があるか否かを判定する（図５ステップＳ３０）。この例のように、エレメント管理実行部１３に管理応答処理部１３３が含まれている場合、ネットワーク管理システム２０への応答が必要であると判定される。この場合、エレメント管理実行部１３内の管理指示処理部１３１が起動され、先にエレメント管理受付部１１内の管理指示部１１１から送られた管理指示ＩＤ６０３及びエレメント管理実行部ＩＤ６０２ａと、管理応答処理部１３３が取得した管理情報ＩＤ６０９とを、エレメント管理受付部１１に送出する（図４ステップＳ１１、図５ステップＳ３１）。
【００４８】
エレメント管理受付部１１内の管理応答部１１２は、エレメント管理実行部１３内の管理指示処理部１３１から管理指示ＩＤ６０３、エレメント管理実行部ＩＤ６０２ａ及び管理情報ＩＤ６０９が送出されると、そのうちのエレメント管理実行部ＩＤ６０２ａ及び管理情報ＩＤ６０９を管理情報処理部１２に送出する（図４ステップＳ１２）。管理情報処理部１２は、エレメント管理受付部１１内の管理応答部１１２からエレメント管理実行部ＩＤ６０２ａ及び管理情報ＩＤ６０９を受け取ると、当該エレメント管理実行部ＩＤ６０２ａ及び管理情報ＩＤ６０９に従って管理情報処理を実行することにより、管理要求種別に対応する応答種別、クラス名、属性、及び属性値を含む管理応答メッセージＰＤＵ６１０を作成し、当該ＰＤＵ６１０をエレメント管理受付部１１に返す（図４ステップＳ１３）。これによりエレメント管理受付部１１内の管理応答部１１２は管理応答メッセージＰＤＵ６１０を取得する（図５ステップＳ３２）。この場合、管理応答部１１２は、管理応答メッセージＰＤＵ６１０にメッセージヘッダ６１１を加えて管理応答メッセージ６１２を組み立て、当該管理応答メッセージ６１２をネットワーク管理システム２０に送信する（図４ステップＳ１４、図５ステップＳ３３）。
【００４９】
上述した、図４のシーケンスチャート及び図５のフローチャートに従うエレメント管理システム１０での処理は、ネットワーク管理システム２０が通信装置３０の管理対象（管理リソース）を制御する場合、或いは当該通信装置３０の管理情報（管理オブジェクト）を当該通信装置３０から直接取得する場合に適用される一例である。
【００５０】
（２）通信装置イベントメッセージ受信時の処理
次に、通信装置３０からの通信装置イベントメッセージをエレメント管理システム１０にて受信した際の当該エレメント管理システム１０の動作を、図８のシーケンスチャート及び前記図５のフローチャートを参照して説明する。なお、エレメント管理システム１０内のエレメント管理実行部１３には、管理応答処理部１３３、イベント受付部１３４及び統計情報取得実行部１３５のうちのイベント受付部１３４が含まれているものとする。
【００５１】
今、通信装置３０において障害または状態変化の事象（イベント）が発生したものとする。この場合、通信装置３０からエレメント管理システム１０に対して通信装置イベントメッセージが送信されたものとする（図８ステップＳ４１）。この通信装置イベントメッセージは、通信装置３０で発生したイベントの内容を管理イベントとしてエレメント管理システム１０に通知するために、当該通信装置３０からエレメント管理システム１０に送信される。この通信装置イベントメッセージは、非同期で送信される場合が一般的である。このため、エレメント管理システム１０内のエレメント管理実行部１３に設けられたイベント受付部１３４は、通信装置３０からの通信装置イベントメッセージの受信を常時待機している状態にある。
【００５２】
通信装置３０からエレメント管理システム１０に送信された通信装置イベントメッセージは、エレメント管理実行部１３内の通信装置アクセス部１３６で受信され、当該エレメント管理実行部１３内のイベント受付部１３４で受け付けられる（図５ステップＳ２８）。イベント受付部１３４は、受け付けた通信装置イベントメッセージからヘッダの部分が外された通信装置イベントメッセージＰＤＵを、管理情報取得・応答判定部１３２及び管理情報アクセス部１３７を介して管理情報処理部１２に送出する（図８ステップＳ４２）。管理情報処理部１２は、通信装置イベントメッセージＰＤＵに従う管理情報処理によりイベント内容（を表す管理オブジェクトの属性と値、つまりインスタンス情報セット）の登録を行い、管理イベントを一意に識別するための情報（即ち管理情報ＩＤに相当する管理イベントＩＤ）をイベント受付部１３４に返す（図８ステップＳ４３）。これによりイベント受付部１３４は、管理イベントＩＤを取得する（図５ステップＳ２９）。
【００５３】
エレメント管理実行部１３内の管理情報取得・応答判定部１３２は、イベント受付部１３４により取得された管理イベントＩＤにより識別される管理イベントの内容をネットワーク管理システム２０への応答として返す必要があるか否かを判定する（図５ステップＳ３０）。この例とは異なって、エレメント管理実行部１３にイベント受付部１３４が含まれていない場合には、ネットワーク管理システム２０への応答が必要でないと判定される。
【００５４】
これに対し、この例のようにエレメント管理実行部１３にイベント受付部１３４が含まれている場合、例えばイベントの種類に応じてネットワーク管理システム２０への応答が必要であるか否かが判定される。ここでは、ネットワーク管理システム２０への応答が必要であるものとする。この場合、エレメント管理システム１０内の管理指示処理部１３１が起動され、イベント受付部１３４が取得した管理イベントＩＤと、当該管理イベントＩＤで指定される管理イベント通知情報（管理オブジェクト）を処理するエレメント管理実行部１３を一意に識別するための情報（即ちエレメント管理実行部ＩＤ）とを、エレメント管理受付部１１に送出する（図５ステップＳ３１、図８ステップＳ４４）。なお、ネットワーク管理システム２０への応答が必要でない場合には、エレメント管理実行部１３内のイベント受付部１３４は、通信装置イベントメッセージの受信を待つ。
【００５５】
エレメント管理受付部１１内の管理イベント通知部１１３は、エレメント管理実行部１３内の管理指示処理部１３１から送出された管理イベントＩＤ及びエレメント管理実行部ＩＤを受け取ると、当該管理イベントＩＤ及びエレメント管理実行部ＩＤを管理情報処理部１２に送出する（図８ステップＳ４５）。管理情報処理部１２は、エレメント管理受付部１１内の管理イベント通知部１１３からエレメント管理実行部ＩＤ及び管理イベントＩＤを受け取ると、当該エレメント管理実行部ＩＤ及び管理イベントＩＤに従って管理情報処理を実行することにより、管理イベント通知を示す情報及び管理イベント内容を含む管理イベントメッセージＰＤＵを作成し、当該管理イベントメッセージＰＤＵをエレメント管理受付部１１に返す（図８ステップＳ４６）。これによりエレメント管理受付部１１内の管理イベント通知部１１３は管理イベントメッセージＰＤＵを取得する（図５ステップＳ３２）。この場合、管理イベント通知部１１３は、管理イベントメッセージＰＤＵにメッセージヘッダを加えて管理イベントメッセージを組み立て、当該管理イベントメッセージをネットワーク管理システム２０に送信する（図５ステップＳ３３、図８ステップＳ４７）。
【００５６】
上述した、図５のフローチャート及び図８のシーケンスチャートに従うエレメント管理システム１０での処理は、通信装置３０に障害または状態変化の事象が発生し、当該通信装置３０からエレメント管理システム１０へ管理イベントメッセージを送信する場合に適用される一例である。
【００５７】
（３）管理情報処理部１２の処理の詳細
次に、管理情報処理部１２の処理の詳細について、エレメント管理受付部１１から当該管理情報処理部１２に管理要求メッセージＰＤＵ６０１ｂが送られた場合（図４ステップＳ２）を例に、図９の動作説明図及び図１０のフローチャートを参照して説明する。
【００５８】
まず、管理要求メッセージＰＤＵ６０１ｂが管理要求種別８０１及びクラス名８０２を含むものとする。管理要求種別８０１は、例えば通信装置３０にラベルスイッチドパスの追加を要求する管理要求（ＬＳＰ追加要求）“ＡｄｄＬＳＰ”であり、クラス名８０２は例えばクラス＃１である。
【００５９】
管理情報処理部１２は、エレメント管理受付部１１から送られた管理要求メッセージＰＤＵ６０１ｂを受け取ると、当該ＰＤＵ６０１ｂに含まれている全てのクラス名（＝クラス＃１）をクラス情報テーブル１２１から検索する（図９ステップＳ５１、図１０ステップＳ６１）。次に管理情報処理部１２は、検索されたクラス名（＝クラス＃１）を含むクラス情報テーブル１２１内のエントリに登録されているプロパティ名（＝ｐｒｏｐｅｒｔｙ＃１）に対するインスタンス情報テーブル１２２の行（エントリ）を作成する（図９ステップＳ５２、図１０ステップＳ６２）。この行（エントリ）には、インスタンス情報テーブル１２２内で閉じた「インデックス」（ここでは１０）が付与される。この「インデックス」は、他のプロパティ名に対するインスタンス情報テーブルとの関連性はなく、インスタンス情報テーブル１２２を管理する機能のみを有する。
【００６０】
次に管理情報処理部１２は、プロパティ名（＝ｐｒｏｐｅｒｔｙ＃１）とテーブル名及びメンバ名との対応関係を示すマップテーブル１２４から、物理情報、即ち物理情報テーブルのテーブル名とメンバ名とを検索し、対応する物理情報テーブルの領域（セル）を確保する（図９ステップＳ５３ａ，Ｓ５３ｂ、図１０ステップＳ６３）。ここでは、プロパティ名＝ｐｒｏｐｅｒｔｙ＃１に対応する（テーブル＃１及びメンバ＃２）並びに（テーブル＃２及びメンバ＃３）が検索される。そして、テーブル名がテーブル＃１である物理情報テーブル１２３−１内の１エントリのうち、メンバ＃２の項目の領域（セル）が確保される。このメンバ＃２の項目の領域（セル）の先頭アドレスは１００であるものとする。同様に、テーブル名がテーブル＃２である物理情報テーブル１２３−２内の１エントリのうち、メンバ＃３の項目の領域（セル）が作成される。このメンバ＃３の項目の領域（セル）の先頭アドレスは２００であるものとする。
【００６１】
次に管理情報処理部１２は、確保した物理情報テーブル１２３−１及び１２３−２内の領域（セル）のアドレス（１００及び２００）を、先に作成したインスタンス情報テーブル１２２内エントリのインスタンス値の項目に記録する（図９ステップＳ５４、図１０ステップＳ６４）。また管理情報処理部１２は、上記作成したインスタンス情報テーブル１２２内エントリの先頭アドレスを、先に検索されたクラス名（＝クラス＃１）を含むクラス情報テーブル１２１内のエントリ中のインスタンスＩＤの項目に記録する（図９ステップＳ５５、図１０ステップＳ６５）。ここでは、アドレス１２３が記録される。このアドレス１２３が記録されたクラス情報テーブル１２１内のエントリ中のエレメント管理実行部ＩＤの項目には、クラス名＝クラス＃１及びプロパティ名＝ｐｒｏｐｅｒｔｙ＃１で特定されるエレメント管理実行部ＩＤ＝ｐｒｏｃｅｓｓｏｒ＃２が記録されている。これらのクラス名、プロパティ名及びエレメント管理実行部ＩＤの組は、対応するエレメント管理実行部１３が追加または変更された場合に、当該エレメント管理実行部１３により記録される。
【００６２】
次に管理情報処理部１２は、先にクラス情報テーブル１２１内のエントリに記録したインスタンスＩＤ（＝１２３）をもとに管理情報ＩＤ６０２ｂを作成すると共に、当該エントリ中のエレメント管理実行部ＩＤの項目の内容（＝ｐｒｏｃｅｓｓｏｒ＃２）をエレメント管理実行部ＩＤ６０２ａとする。このエレメント管理実行部ＩＤ６０２ａ及び管理情報ＩＤ６０２ｂが、管理情報処理部１２からエレメント管理受付部１１に返される。この例では、管理情報ＩＤ６０２ｂは、管理要求メッセージＰＤＵ６０１ｂ中の管理要求種別（＝ＡｄｄＬＳＰ）と、上記インスタンスＩＤ（＝１２３）とを含む。
【００６３】
次に、エレメント管理実行部１３から管理情報処理部１２に上記管理情報ＩＤ６０２ｂが送られた場合（図４ステップＳ５）における、当該管理情報処理部１２の処理の詳細について、図１１の動作説明図及び図１２のフローチャートを参照して説明する。
【００６４】
まず管理情報処理部１２は、エレメント管理実行部１３から送られた管理情報ＩＤ６０２ｂを受け取ると、当該管理情報ＩＤ６０２ｂに含まれているインスタンスＩＤ（＝１２３）をキーとしてクラス情報テーブル１２１からプロパティ名を検索する（図１１ステップＳ７１、図１２ステップＳ８１）。この場合、プロパティ名＝ｐｒｏｐｅｒｔｙ＃１が検索される。
【００６５】
次に管理情報処理部１２は、プロパティ名とテーブル名及びメンバ名との対応関係を示すマップテーブル１２４から、検索されたプロパティ名＝ｐｒｏｐｅｒｔｙ＃１に対応する物理情報テーブルのテーブル名とメンバ名とを検索する（図１１ステップＳ７２、図１２ステップＳ８２）。ここでは、（テーブル＃１及びメンバ＃２）並びに（テーブル＃２及びメンバ＃３）が検索される。
【００６６】
次に管理情報処理部１２は、検索された全てのテーブル名及びメンバ名をもとに通信装置操作メッセージＰＤＵ６０４を作成する（図１１ステップＳ７３、図１２ステップＳ８３）。この通信装置操作メッセージＰＤＵ６０４が、管理情報処理部１２からエレメント管理実行部１３に返される。この例では、通信装置操作メッセージＰＤＵ６０４は、エレメント管理実行部１３から受け取った管理情報ＩＤ６０２ｂ中の管理要求（ＬＳＰ追加要求）“ＡｄｄＬＳＰ”と、検索された全てのテーブル名及びメンバ名、即ち（テーブル＃１及びメンバ＃２）並びに（テーブル＃２及びメンバ＃３）とを含む。
【００６７】
次に、エレメント管理実行部１３（内の管理応答処理部１３３）から当該管理情報処理部１２に上記通信装置操作応答メッセージＰＤＵ６０８ｂが送られた場合（図４ステップＳ９）における、当該管理情報処理部１２の処理の詳細について、図１３の動作説明図及び図１４のフローチャートを参照して説明する。
【００６８】
まず管理情報処理部１２は、エレメント管理実行部１３から送られた通信装置操作応答メッセージＰＤＵ６０８ｂを受け取ると、当該ＰＤＵ６０８ｂに含まれている「テーブル名」及び「メンバ名」で指定される物理情報テーブルの領域（セル）に、当該ＰＤＵ６０８ｂに含まれている「値」を書き込む（図１３ステップＳ９１、図１４ステップＳ１０１）。ここでは、ＰＤＵ６０８ｂには、テーブル名＝テーブル＃２、メンバ名＝メンバ＃３及び値＝ＬＩＮＫ＃２の組と、テーブル名＝テーブル＃１、メンバ名＝メンバ＃２及び値＝ＬＩＮＫ＃１の組とが含まれている。したがって、テーブル名がテーブル＃２である物理情報テーブル１２３−２内のメンバ名がメンバ＃３の領域（ここでは、アドレス２００から始まる領域）に、ＬＩＮＫ＃２が書き込まれる。同様に、テーブル名がテーブル＃１である物理情報テーブル１２３−１内のメンバ名がメンバ＃２の領域（ここでは、アドレス１００から始まる領域）に、ＬＩＮＫ＃１が書き込まれる。
【００６９】
次に管理情報処理部１２は、ＰＤＵ６０８ｂ中の「テーブル名」及び「メンバ名」を含むマップテーブル１２４の情報を参照して当該情報をもとに、インスタンス情報テーブル１２２の行（エントリ）を作成し、当該行（エントリ）に、先に物理情報テーブルに書き込んだ値で決まるインスタンス値を記録する（図１３ステップＳ９２、図１４ステップＳ１０２）。ここでは、ＬＩＮＫ＃１及びＬＩＮＫ＃２に対応するＬＩＮＫ＃１−２が記録される。ＬＩＮＫ＃１−２は、例えばＬＩＮＫ＃１及びＬＩＮＫ＃２の値に対する、ＰＤＵ６０８ｂ中の要求種別（管理応答種別）で決まる演算により算出されるインスタンス値である。
【００７０】
次に管理情報処理部１２は、インスタンス値が記録されたインスタンス情報テーブル１２２の行（エントリ）を指し示すアドレス（＝９８７）を、先に参照したマップテーブル１２４の情報に含まれているプロパティ名（＝ｐｒｏｐｅｒｔｙ＃１）が設定されている、クラス情報テーブル１２１内エントリのインスタンスＩＤの領域に記録する（図１３ステップＳ９３、図１４ステップＳ１０３）。ここでは、クラス名＝クラス＃１、プロパティ名＝ｐｒｏｐｅｒｔｙ＃１及びエレメント実行管理部ＩＤ＝ｐｒｏｃｅｓｓｏｒ＃２が設定されている、クラス情報テーブル１２１内エントリのインスタンスＩＤの領域に、アドレス＝９８７がインスタンスＩＤとして記録される。
【００７１】
次に管理情報処理部１２は、クラス情報テーブル１２１に記録された「インスタンスＩＤ」（＝９８７）をもとに管理情報ＩＤ６０９を作成し、当該管理情報ＩＤ６０９をエレメント管理実行部１３に送る。この例では、管理情報ＩＤ６０９は、ＰＤＵ６０８ｂ中の管理要求種別（＝ＡｄｄＬＳＰ）と、上記インスタンスＩＤ（＝９８７）とを含む。
【００７２】
なお、エレメント管理実行部１３（内のイベント受付部１３４）から管理情報処理部１２に通信装置イベントＰＤＵが送られた場合（図８ステップＳ４２）における当該管理情報処理部１２の処理は、上述したエレメント管理実行部１３（内の管理応答処理部１３３）から管理情報処理部１２に通信装置操作応答メッセージＰＤＵが送られた場合（図４ステップＳ９）における、当該管理情報処理部１２の処理とほぼ同様である。
【００７３】
次に、エレメント管理受付部１１（内の管理応答部１１２）から管理情報処理部１２に上記エレメント管理実行部ＩＤ６０２ａ及び管理情報ＩＤ６０９が送られた場合（図４ステップＳ１２）における、当該管理情報処理部１２の処理の詳細について、図１５の動作説明図及び図１６のフローチャートを参照して説明する。
【００７４】
まず管理情報処理部１２は、エレメント管理受付部１１から送られたエレメント管理実行部ＩＤ６０２ａ及び管理情報ＩＤ６０９を受け取ると、当該エレメント管理実行部ＩＤ６０２ａ及び管理情報ＩＤ６０９をもとに、クラス情報テーブル１２１からインスタンスＩＤを検索する（図１５ステップＳ１１１、図１６ステップＳ１２１）。ここでは、エレメント管理実行部ＩＤ６０２ａ＝ｐｒｏｃｅｓｓｏｒ＃２である。この場合、ｐｒｏｃｅｓｓｏｒ＃２を含むクラス情報テーブル１２１のエントリの中から、管理情報ＩＤ６０９に含まれているインスタンスＩＤ＝９８７が検索される。
【００７５】
次に管理情報処理部１２は、検索したインスタンスＩＤ、つまりアドレスをもとに、当該アドレスで指定されるインスタンス情報テーブル１２２内のエントリに設定されているインスタンス値を検索する（図１５ステップＳ１１２、図１６ステップＳ１２２）。ここでは、インスタンスＩＤ＝９８７であることから、アドレス９８７で指定されるインスタンス情報テーブル１２２内のエントリに設定されているインスタンス値ＬＩＮＫ＃１−２が検索される。
【００７６】
次に管理情報処理部１２は、クラス情報テーブル１２１から検索されたインスタンスＩＤと組をなしてクラス情報テーブル１２１内のエントリに設定されているクラス名及びプロパティ名、並びにインスタンス情報テーブル１２２から検索されたインスタンス値をもとに、管理応答メッセージＰＤＵ６１０を作成し、当該ＰＤＵ６１０をエレメント管理受付部１１に返す（図１５ステップＳ１１３、図１６ステップ１２３）。ここでは、インスタンスＩＤは９８７であり、当該インスタンスＩＤ＝９８７と組をなしてクラス情報テーブル１２１内のエントリに設定されているクラス名及びプロパティ名は、それぞれクラス＃１及びｐｒｏｐｅｒｔｙ＃１である。この場合、インスタンス情報テーブル１２２から、インスタンス値＝ＬＩＮＫ＃１−２が検索され、管理情報ＩＤ６０９中の管理要求種別＝ＡｄｄＬＳＰと、クラス名＝クラス＃１と、検索されたインスタンス値＝ＬＩＮＫ＃１−２を含む管理応答メッセージＰＤＵ６１０が作成される。
【００７７】
上述した、エレメント管理受付部１１（内の管理応答部１１２）から管理情報処理部１２にエレメント管理実行部ＩＤ及び管理情報ＩＤが送られた場合の当該管理情報処理部１２の処理は、先に述べたエレメント管理受付部１１から管理情報処理部１２に管理要求メッセージＰＤＵが送られた場合の処理とほぼ逆となる。
【００７８】
なお、エレメント管理受付部１１（内の管理イベント通知部１１３）から管理情報処理部１２にエレメント管理実行部ＩＤ及び管理イベントＩＤが送られた場合（図８ステップＳ４６）における当該管理情報処理部１２の処理は、上述したエレメント管理受付部１１（内の管理応答部１１２）から管理情報処理部１２にエレメント管理実行部ＩＤ及び管理情報ＩＤが送られた場合（図４ステップＳ１２）における当該管理情報処理部１２の処理とほぼ同様である。
【００７９】
（４）統計情報収集処理
次に、エレメント管理システム１０内のエレメント管理実行部１３を中心とする統計情報収集処理について、図１７のシーケンスチャート及び前記図５のフローチャートを参照して説明する。なお、エレメント管理システム１０内のエレメント管理実行部１３には、管理応答処理部１３３、イベント受付部１３４及び統計情報取得実行部１３５のうちの統計情報取得実行部１３５が含まれているものとする。
【００８０】
まずエレメント管理実行部１３内の統計情報取得実行部１３５は、通信装置３０から統計情報を自律的に取得するための通信装置操作メッセージを、通信装置アクセス部１３６を利用して当該通信装置３０に送信する（図１７ステップＳ１３１、図５ステップＳ２７）。この通信装置操作メッセージは、統計情報取得実行部１３５で作成された通信装置操作メッセージＰＤＵに、通信装置アクセス部１３６においてメッセージヘッダを加えることにより組み立てられる。
【００８１】
通信装置３０は、エレメント管理実行部１３から送信された通信装置操作メッセージが当該通信装置３０から統計情報を自律的に取得するための操作メッセーである場合、当該操作メッセージに従って自身の統計情報を取得し、当該統計情報を通知するための通信装置操作応答メッセージをエレメント管理実行部１３に返す（図１７ステップＳ１３２）。
【００８２】
エレメント管理実行部１３内の通信装置アクセス部１３６は通信装置３０からの通信装置操作応答メッセージを受信する（図５ステップＳ２８）。通信装置アクセス部１３６で受信された通信装置操作応答メッセージが統計情報を通知するための応答メッセージの場合、エレメント管理実行部１３内の統計情報取得実行部１３５は、当該応答メッセージからヘッダの部分が外された通信装置操作応答メッセージＰＤＵを、管理情報取得・応答判定部１３２及び管理情報アクセス部１３７を介して管理情報処理部１２に送出する（図１７ステップＳ１３３）。すると管理情報処理部１２は、管理情報（管理オブジェクト）を一意に識別するための情報（即ち管理情報ＩＤ）をエレメント管理実行部１３に返す（図１７ステップＳ１３４）。これによりエレメント管理実行部１３内では、統計情報取得実行部１３５により管理情報処理部１２からの管理情報ＩＤが取得される（図５ステップＳ２９）。
【００８３】
エレメント管理実行部１３内の管理情報取得・応答判定部１３２は、当該エレメント管理実行部１３内で取得された管理情報ＩＤにより識別される管理情報（ここでは統計情報）をネットワーク管理システム２０への応答として返す必要があるか否かを判定する（図５ステップＳ３０）。この例のように、エレメント管理実行部１３に統計情報取得実行部１３５が含まれている場合、ネットワーク管理システム２０への応答は必要ないと判定される。この場合、エレメント管理実行部１３内の統計情報取得実行部１３５は、上記処理（図１７ステップＳ１３１、図５ステップＳ２７）を繰り返し実行する。ここでは、統計情報取得実行部１３５は、通信装置３０から統計情報を定期的に且つ自律的に取得するため、上記シーケンスを例えば一定時間間隔で実行する。
【００８４】
一方、ネットワーク管理システム２０は、エレメント管理実行部１３（内の統計情報取得実行部１３５）が収集した統計情報を必要とする場合、当該統計情報を要求するための管理要求メッセージをエレメント管理システム１０に送出する（図１７ステップＳ１３５）。エレメント管理システム１０内のエレメント管理受付部１１は、ネットワーク管理システム２０からの管理要求メッセージを受信する（図５ステップＳ２１）。
【００８５】
エレメント管理受付部１１内の管理指示部１１１は、受信された管理要求メッセージからヘッダの部分が外された管理要求メッセージＰＤＵを管理情報処理部１２に送出する（図１７ステップＳ１３６）。すると管理情報処理部１２は、先に述べた管理要求メッセージＰＤＵ６０１ｂが送られた場合（図４ステップＳ２）と同様の手順で、エレメント管理受付部１１内の管理指示部１１１からの管理要求メッセージＰＤＵを処理すべきエレメント管理実行部１３を一意に識別するための情報（即ちエレメント管理実行部ＩＤ）と、管理情報（管理オブジェクト）を一意に識別するための情報（即ち管理情報ＩＤ）とをエレメント管理受付部１１に返す（図１７ステップＳ１３７）。これによりエレメント管理受付部１１内の管理指示部１１１は、管理情報処理部１２から返された、上記管理要求メッセージＰＤＵに対応するエレメント管理実行部ＩＤ及び管理情報ＩＤを取得する（図５ステップＳ２２）。
【００８６】
エレメント管理受付部１１内の管理指示部１１１は、管理情報処理部１２からエレメント管理実行部ＩＤ及び管理情報ＩＤを取得すると当該両ＩＤが存在するか否かを当該両ＩＤ（識別情報）の値に基づいて判定する（図５ステップＳ２３）。もし、上記エレメント管理実行部ＩＤ及び管理情報ＩＤが存在する場合には、エレメント管理受付部１１内の管理指示部１１１は、管理要求メッセージに対応する処理を一意に識別するための情報（即ち管理指示ＩＤ）、上記エレメント管理実行部ＩＤ及び上記管理情報ＩＤを全てのエレメント管理実行部１３に送出する（図１７ステップＳ１３８、図５ステップＳ２４）。この情報は、当該情報中のエレメント管理実行部ＩＤ６０２ａによって特定されるエレメント管理実行部１３によってのみ受け取られる。
【００８７】
エレメント管理実行部１３内の管理指示処理部１３１は、エレメント管理受付部１１内の管理指示部１１１から送出された管理指示ＩＤ、エレメント管理実行部ＩＤ及び管理情報ＩＤを取得する。するとエレメント管理実行部１３内の管理情報取得・応答判定部１３２は、管理指示処理部１３１が取得した管理情報ＩＤを管理情報処理部１２に送出する（図１７ステップＳ１３９）。管理情報処理部１２は、エレメント管理受付部１１内の管理情報取得・応答判定部１３２から管理情報ＩＤを受け取ると、先に述べたエレメント管理実行部１３から管理情報ＩＤ６０２ｂが送られた場合（図４ステップＳ５）と同様の手順で、当該管理情報ＩＤに従って通信装置操作メッセージＰＤＵを作成し、当該通信装置操作メッセージＰＤＵを管理情報取得・応答判定部１３２に返す（図１７ステップＳ１４０）。
【００８８】
管理情報取得・応答判定部１３２は、管理情報処理部１２から通信装置操作メッセージＰＤＵを受け取ると（図５ステップＳ２５）、管理情報（管理オブジェクト）を通信装置３０から取得するか否かを判定する（図５ステップＳ２６）。この例のように、エレメント管理実行部１３に統計情報取得実行部１３５が含まれている場合、管理情報を通信装置３０から取得する必要はないと判定される。この場合、エレメント管理実行部１３内の管理応答処理部１３３は、通信装置操作メッセージＰＤＵにより指定された統計情報（即ちエレメント管理実行部１３内の統計情報取得実行部１３５によって通信装置３０から定期的に収集されている統計情報）を通知するための通信装置応答メッセージＰＤＵを作成して、管理情報処理部１２に送出する（図１７ステップＳ１４１）。
【００８９】
すると管理情報処理部１２は、エレメント管理実行部１３から通信装置操作応答メッセージＰＤＵ６０８ｂが送られた場合（図４ステップＳ９）と同様の手順で、管理情報（管理オブジェクト）を一意に識別するための情報（即ち管理情報ＩＤ）を作成してエレメント管理実行部１３に返す（図１７ステップＳ１４２）。これによりエレメント管理実行部１３内の管理応答処理部１３３は、管理情報処理部１２からの管理情報ＩＤを取得する（図５ステップＳ２９）。
【００９０】
エレメント管理実行部１３内の管理情報取得・応答判定部１３２は、管理応答処理部１３３で取得された管理情報ＩＤにより識別される管理情報をネットワーク管理システム２０への応答として返す必要があるか否かを判定する（図５ステップＳ３０）。この例のように、エレメント管理実行部１３に統計情報取得実行部１３５が含まれている場合、ネットワーク管理システム２０への応答が必要であると判定される。この場合、エレメント管理実行部１３内の管理指示処理部１３１は、先にエレメント管理受付部１１内の管理指示部１１１から送られた管理指示ＩＤ及びエレメント管理実行部ＩＤと、管理応答処理部１３３が取得した管理情報ＩＤとを、エレメント管理受付部１１に送出する（図１７ステップＳ１４３、図５ステップＳ３１）。
【００９１】
エレメント管理受付部１１内の管理応答部１１２は、エレメント管理実行部１３内の管理指示処理部１３１から管理指示ＩＤ、エレメント管理実行部ＩＤ及び管理情報ＩＤが送出されると、そのうちのエレメント管理実行部ＩＤ及び管理情報ＩＤを管理情報処理部１２に送出する（図１７ステップＳ１４４）。管理情報処理部１２は、エレメント管理受付部１１内の管理応答部１１２からエレメント管理実行部ＩＤ及び管理情報ＩＤを受け取ると、先に述べたエレメント管理受付部１１からエレメント管理実行部ＩＤ６０２ａ及び管理情報ＩＤ６０９が送られた場合（図４ステップＳ１２）と同様の手順で、管理実行部ＩＤ及び管理情報ＩＤに従って管理応答メッセージＰＤＵを作成し、当該管理応答メッセージＰＤＵをエレメント管理受付部１１に返す（図１７ステップＳ１４５）。これによりエレメント管理受付部１１内の管理応答部１１２は管理応答メッセージＰＤＵを取得する（図５ステップＳ３２）。この場合、管理応答部１１２は、管理応答メッセージＰＤＵにメッセージヘッダを加えて管理応答メッセージを組み立て、当該管理応答メッセージをネットワーク管理システム２０に送信する（図１７ステップＳ１４６、図５ステップＳ３３）。
【００９２】
上述した、図１７のシーケンスチャート及び図５のフローチャートに従うエレメント管理システム１０での処理は、当該エレメント管理システム１０が通信装置３０の統計情報を自律的に収集し、ネットワーク管理システム２０がその統計情報を取得する場合に適用される一例である。
【００９３】
以上、本発明の一実施形態について説明した。同実施形態では、管理要求種別毎に或いは管理要求グループ毎に用意されるエレメント管理実行部１３には、管理応答処理部１３３、イベント受付部１３４及び統計情報取得実行部１３５のうちの１つに加えて、管理指示処理部１３１、管理情報取得・応答判定部１３２、通信装置アクセス部１３６及び管理情報アクセス部１３７が設けられている。しかし、管理応答処理部１３３、イベント受付部１３４及び統計情報取得実行部１３５を除くエレメント管理実行部１３の構成要素は、ネットワーク管理システム２０が扱う管理要求種別、或いは管理要求グループに無関係に、エレメント管理システム１０内に１つ存在すればよい。したがって、エレメント管理実行部が、管理応答処理部１３３、イベント受付部１３４及び統計情報取得実行部１３５のうちの１つだけを含む構成とし、管理指示処理部１３１、管理情報取得・応答判定部１３２、通信装置アクセス部１３６及び管理情報アクセス部１３７が、エレメント管理実行部から独立して、エレメント管理システム内にそれぞれ１つだけ設けられる構成とすることも可能である。
【００９４】
また、上記実施形態では、エレメント管理システムの各構成要素が、１つの装置（コンピュータ）上で実行されるプログラムにより実現される、つまり１つのコンピュータ上に配置されていることを前提としている。しかし、エレメント管理システムの各構成要素は、同様の作用が実現可能であれば、異なるコンピュータ上に配置されてもよい。また各構成要素を自由に組み合わせてもよい。以下、エレメント管理システムの２つの変形例について説明する。
【００９５】
［第１の変形例］
図１８は本発明の一実施形態の第１の変形例を示すネットワークシステムのブロック構成図である。図１８において、図１中のエレメント管理システム１０に相当するエレメント管理システムは、エレメント管理受付部４１、エレメント管理実行部４２及び管理情報処理部５１（図１中のエレメント管理受付部１１、エレメント管理実行部１３及び管理情報処理部１２にそれぞれ相当）から構成されている。エレメント管理受付部４１、エレメント管理実行部４２及び管理情報処理部５１のうち、エレメント管理受付部４１及びエレメント管理実行部４２（を実現するプログラムモジュール）はエレメント管理装置（コンピュータ）４０内（の主記憶装置上）に配置され、管理情報処理部５１（を実現するプログラムモジュール）はエレメント管理装置４０から独立して設けられている管理情報保持装置（コンピュータ）５０内（の主記憶装置上）に配置されている。つまり、エレメント管理受付部４１及びエレメント管理実行部４２と、管理情報処理部５１とは、それぞれ物理的に異なる位置に配置されている。エレメント管理受付部４１及びエレメント管理実行部４２を含むエレメント管理装置４０と、管理情報処理部５１を含む管理情報保持装置５０と、ネットワーク管理システム２０と、通信装置３０とは、互いに通信網６０を介して接続されている。エレメント管理受付部４１、エレメント管理実行部４２及び管理情報処理部５１は、通信網６０を介して通信装置３０に関する管理情報（管理オブジェクト）の操作に係わるデータの交換を行う。これにより、図１中のエレメント管理システム１０と同様のエレメント管理システムを実現できる。
【００９６】
［第２の変形例］
図１９は本発明の一実施形態の第２の変形例を示すネットワークシステムのブロック構成図である。図１９において、図１中のエレメント管理システム１０に相当するエレメント管理システムは、装置管理受付部７１、管理情報処理部８１及び装置管理実行部９１（図１中のエレメント管理受付部１１、管理情報処理部１２及びエレメント管理実行部１３にそれぞれ相当）から構成されている。装置管理受付部７１、管理情報処理部８１及び装置管理実行部９１（をそれぞれ実現するプログラムモジュール）は、それぞれ異なる装置（コンピュータ）、即ちエレメント管理クライアント装置７０、管理情報処理装置８０及びエレメント管理サーバ装置９０内（の主記憶装置上）に配置されている。管理クライアント装置７０と、管理情報処理装置８０と、エレメント管理サーバ装置９０と、ネットワーク管理システム２０と、通信装置３０とは、互いに通信網６０を介して接続されている。装置管理受付部７１、管理情報処理部８１及び装置管理実行部９１は、通信網６０を介して通信装置３０に関する管理情報（管理オブジェクト）の操作に係わるデータの交換を行う。これにより、図１中のエレメント管理システム１０と同様のエレメント管理システムを実現できる。なお、管理クライアント装置７０、管理情報処理装置８０及びエレメント管理サーバ装置９０が、それぞれ異なる通信網を介して相互に接続されていても構わない。
【００９７】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えばネットワーク管理システムとの間で情報を交換するエレメント管理受付手段（つまりエレメント管理システムの主機能）は、ネットワーク管理システムからの管理要求の内容を何ら解釈することなく、単にネットワーク管理システム、管理情報処理手段、及びエレメント管理実行手段との間で情報を授受するだけでよい、実施形態に示される全構成要素から幾つかの構成要素を削除してもよい。
【００９８】
【発明の効果】
以上詳述したように本発明によれば、ネットワーク管理システムとの間で情報を交換するエレメント管理受付手段（つまりエレメント管理システムの主機能）は、ネットワーク管理システムからの管理要求の内容を何ら解釈することなく、単にネットワーク管理システム、管理情報処理手段、及びエレメント管理実行手段との間で情報を授受するだけでよい。よって、ネットワーク管理システムへ提供する管理情報とアクセス手段の変更・新規追加が行われても、或いは通信装置の機能が追加されても、エレメント管理受付手段を変更しなくて済む。このため、一時停止を必要としない運用管理が可能となる。また、通信プロトコルや管理機能が容易に拡張可能となり、拡張性に富む柔軟なエレメント管理システムが構築できる。
【図面の簡単な説明】
【図１】本発明の一実施形態に係るエレメント管理システムを備えたネットワークシステムの構成を示すブロック図。
【図２】図１中のエレメント管理システム１０内の主としてエレメント管理実行部１３の詳細な構成を示すブロック図。
【図３】図１中の管理情報処理部１２により管理されるテーブルのデータ構造例を示す図。
【図４】上記エレメント管理システム１０による管理要求メッセージ受信時の処理を説明するためのシーケンスチャート。
【図５】上記エレメント管理システム１０による、管理要求メッセージ受信時の処理と、通信装置イベントメッセージ受信時の処理と、統計情報収集処理とを説明するためのフローチャート。
【図６】上記エレメント管理システム１０による管理要求メッセージ受信時のデータの流れを示す図。
【図７】上記エレメント管理システム１０による管理要求メッセージ受信時のデータの流れを示す図。
【図８】上記エレメント管理システム１０による、通信装置イベントメッセージ受信時の処理を説明するためのシーケンスチャート。
【図９】上記エレメント管理システム１０内のエレメント管理受付部１１から当該エレメント管理システム１０内の管理情報処理部１２に管理要求メッセージＰＤＵが送られた場合における、当該管理情報処理部１２の動作の詳細を説明するための図。
【図１０】上記エレメント管理システム１０内のエレメント管理受付部１１から当該エレメント管理システム１０内の管理情報処理部１２に管理要求メッセージＰＤＵが送られた場合における、当該管理情報処理部１２の処理手順を説明するためのフローチャート。
【図１１】上記エレメント管理システム１０内のエレメント管理実行部１３から管理情報処理部１２に管理情報ＩＤが送られた場合における、当該管理情報処理部１２の動作の詳細を説明するための図。
【図１２】上記エレメント管理システム１０内のエレメント管理実行部１３から管理情報処理部１２に管理情報ＩＤが送られた場合における、当該管理情報処理部１２の処理手順を説明するためのフローチャート。
【図１３】上記エレメント管理実行部１３から管理情報処理部１２に通信装置操作応答メッセージＰＤＵが送られた場合における、当該管理情報処理部１２の動作の詳細を説明するための図。
【図１４】上記エレメント管理実行部１３から管理情報処理部１２に通信装置操作応答メッセージＰＤＵが送られた場合における、当該管理情報処理部１２の処理手順を説明するためのフローチャート。
【図１５】上記エレメント管理受付部１１から管理情報処理部１２にエレメント管理実行部ＩＤ及び管理情報ＩＤが送られた場合における、当該管理情報処理部１２の動作の詳細を説明するための図。
【図１６】上記エレメント管理受付部１１から管理情報処理部１２にエレメント管理実行部ＩＤ及び管理情報ＩＤが送られた場合における、当該管理情報処理部１２の処理手順を説明するためのフローチャート。
【図１７】上記エレメント管理システム１０による統計情報収集処理を説明するためのシーケンスチャート。
【図１８】本発明の一実施形態の第１の変形例を示すブロック構成図。
【図１９】本発明の一実施形態の第２の変形例を示すブロック構成図。
【符号の説明】
１０…エレメント管理システム、１１…エレメント管理受付部、１２…管理情報処理部、１３…エレメント管理実行部、２０…ネットワーク管理システム、３０…通信装置、１１１…管理指示部、１１２…管理応答部、１１３…管理イベント通知部、１２１…クラス情報テーブル、１２２…インスタンス情報テーブル、１２３−１，１２３−２…物理情報テーブル、１２４…マップテーブル、１３１…管理指示処理部、１３２…管理情報取得・応答判定部、１３３…管理応答処理部、１３４…イベント受付部、１３５…統計情報取得実行部、１３６…通信装置アクセス部、１３７…管理情報アクセス部、４０…エレメント管理装置、４１…エレメント管理受付部、４２…エレメント管理実行部、５０…管理情報保持装置、５１…管理情報処理部、６０…通信網、７０…エレメント管理クライアント装置、７１…装置管理受付部、８０…管理情報処理装置、８１…管理情報処理部、９０…エレメント管理サーバ装置、９１…装置管理実行部。
【図１】
2004310237.tif 000003
【図２】
2004310237.tif 000004
【図３】
2004310237.tif 000005
【図４】
2004310237.tif 000006
【図５】
2004310237.tif 000007
【図６】
2004310237.tif 000008
【図７】
2004310237.tif 000009
【図８】
2004310237.tif 000010
【図９】
2004310237.tif 000011
【図１０】
2004310237.tif 000012
【図１１】
2004310237.tif 000013
【図１２】
2004310237.tif 000014
【図１３】
2004310237.tif 000015
【図１４】
2004310237.tif 000016
【図１５】
2004310237.tif 000017
【図１６】
2004310237.tif 000018
【図１７】
2004310237.tif 000019
【図１８】
2004310237.tif 000020
【図１９】
2004310237.tif 000021